(57)【特許請求の範囲】
【請求項１】
縦パイプ（Ｙ）と横パイプ（Ｘ）との接触し合う交叉部へ巻き付け使用可能な１本の金属丸線材（Ｍ）から成り、
その丸線材（Ｍ）の切り離し一端部に刻設された雄ネジ（１５）と、同じく丸線材（Ｍ）の切り離し他端部に折り曲げられたフック状のナット受け座（１７）とを、上記縦パイプ（Ｙ）と横パイプ（Ｘ）との交叉する角隅部へ退避した位置関係において、相互の係脱自在に係止させた上、その雄ネジ（１５）へ予じめ脱落不能に螺合されたナット（１６）を締め上げ操作することにより、上記縦パイプ（Ｙ）と横パイプ（Ｘ）との交叉部を縛り付ける結束金具（Ａ１）として、
上記丸線材（Ｍ）の残る中間部を縦横方向へ交互に繰り返し折り曲げることにより、縦パイプ（Ｙ）へ巻き付くほぼ平行な一対の第１、２円弧抱持面（１１）（１２）と、横パイプ（Ｘ）へ巻き付くほぼ平行な一対の第３、４円弧抱持面（１３）（１４）とを一連に造形すると共に、
上記第１〜４円弧抱持面（１１）（１２）（１３）（１４）の合計４個所へその対応的な各パイプ（Ｙ）（Ｘ）との滑り止め用粗面（１８）（１９）を、上記丸線材（Ｍ）の円周面から一定深さ（ｇ）だけ陥没する多数の条痕として且つその丸線材（Ｍ）の直径線（Ｏ−Ｏ）とほぼ平行する配列関係にプレス加工したことを特徴とする接触し合うパイプ同志の交叉部結束金具。
【発明の詳細な説明】
【技術分野】
【０００１】
本発明は接触し合うパイプ同志の交叉部を簡便・確固に縛り付けるための結束金具に関する。
【背景技術】
【０００２】
例えば、柵やビニールハウスの骨格などを組み立てるパイプ同志の交叉部結束金具としては、従来から図１７に示す仮設足場用の市販品が使われている。
【０００３】
これは複数本の固定ピン（１）を介して、背中合わせの直交状態に組み付け一体化された第１、２クランプ（Ｃ）（Ｃ）から成り、その互いに同じ構成の第１、２クランプ（Ｃ）（Ｃ）が、縦パイプ（Ｙ）と横パイプ（Ｘ）とを各々包囲するようになっている。
【０００４】
つまり、同図の符号（２）（３）は上記第１、２クランプ（Ｃ）（Ｃ）の各個を形作る一対の抱持板であって、鋼板から向かい合う円弧状に塑性加工されており、その両抱持板（２）（３）の基端部同志が貫通ピン（４）によって開閉自在に枢着されている。
【０００５】
しかも、その一方の抱持板（２）の先端部には上記貫通ピン（４）と平行な別個の短かい貫通ピン（５）を介して、ボルト（６）の頭部が起伏的な回動自在に枢着されており、そのボルト（６）のネジ軸部を挟む二叉フォーク状のナット受け座（７）が、他方の抱持板（３）の対応的な先端部から張り出している。
【０００６】
そして、縦パイプ（Ｙ）と横パイプ（Ｘ）との各個を両抱持板（２）（３）の閉合により包囲し、上記ボルト（６）に螺合されているナット（８）を締め付けて、その縦パイプ（Ｙ）と横パイプ（Ｘ）との交叉部を結束するようになっている。
【発明の開示】
【発明が解決しようとする課題】
【０００７】
ところが、このような結束金具の構成では第１、２クランプ（Ｃ）（Ｃ）の各個を形作る一対の抱持板（２）（３）が、鋼板からの塑性加工品であるばかりでなく、これと別個な複数本の貫通ピン（４）（５）やボルト（６）も要するため、その全体重量が適用するパイプ（Ｙ）（Ｘ）よりも過大となり、この種多量に使う結束金具としての量産効果を期待することができない。
【０００８】
又、上記結束金具の第１、２クランプ（Ｃ）（Ｃ）は縦パイプ（Ｙ）と横パイプ（Ｘ）との交叉部に介在して、そのパイプ（Ｙ）（Ｘ）を各別に包囲する重厚な剛体品である。そのため、両抱持板（２）（３）の向かい合う円弧面によって各パイプ（Ｙ）（Ｘ）を抱持したとしても、更にはその使用当初たとえナット（８）を強く締め上げたとしても、使用中に受ける振動や衝撃などの外力を吸収することができず、特に縦パイプ（Ｙ）を滑り下降して、交叉部の位置狂いを生ずるおそれがある。
【０００９】
しかも、縦パイプ（Ｙ）と横パイプ（Ｘ）との交叉部を結束した使用状態では、そのボルト（６）の先端部や二叉フォーク状ナット受け座（７）の先端部が、鋭く張り出し露呈することになるため、甚だ危険であり、特別の柔軟なビニールカバー（９）も用意して、これを第１、２クランプ（Ｃ）（Ｃ）へかぶせ付けることにより、その全体を安全に被覆化粧しなければならない。
【課題を解決するための手段】
【００１０】
本発明はこのような課題の改良を目的としており、その目的を達成するために、請求項１では縦パイプと横パイプとの接触し合う交叉部へ巻き付け使用可能な１本の金属丸線材から成り、
【００１１】
その丸線材の切り離し一端部に刻設された雄ネジと、同じく丸線材の切り離し他端部に折り曲げられたフック状のナット受け座とを、上記縦パイプと横パイプとの交叉する角隅部へ退避した位置関係において、相互の係脱自在に係止させた上、その雄ネジへ予じめ脱落不能に螺合されたナットを締め上げ操作することにより、上記縦パイプと横パイプとの交叉部を縛り付ける結束金具として、
【００１２】
上記丸線材の残る中間部を縦横方向へ交互に繰り返し折り曲げることにより、縦パイプへ巻き付くほぼ平行な一対の第１、２円弧抱持面と、横パイプへ巻き付くほぼ平行な一対の第３、４円弧抱持面とを一連に造形すると共に、
【００１３】
上記第１〜４円弧抱持面の合計４個所へその対応的な各パイプとの滑り止め用粗面を、上記丸線材の円周面から一定深さ（ｇ）だけ陥没する多数の条痕として且つその丸線材の直径線とほぼ平行する配列関係にプレス加工したことを特徴とする。
【発明の効果】
【００１４】
請求項１の上記構成によれば、結束金具が１本の金属丸線材から一連に折り曲げられた製品として、著しく軽量であり、その簡素な必要構成とも相俟ち、量産効果を最大限に発揮させることができ、その使用に当っても１個のナットを回動操作すれば足り、縦パイプと横パイプとの交叉部をすばやく軽快に縛り付け結束作業し得る効果がある。
【００１５】
又、上記結束金具の使用中、その金属丸線材の切り離し一端部に刻設された雄ネジと、残る切り離し他端部に折り曲げられたフック状のナット受け座とは、縦パイプと横パイプとの交叉する角隅部へ退避した位置関係において、その相互の係止状態に保たれ、ナットにより締結されているため、縦パイプと横パイプへ巻き付く第１〜４円弧抱持面が文字通りの円弧状に弯曲していることとも相俟って、その露出状態のままでも安全性を維持することができ、特別なビニールカバーなどをかぶせ付けることにより、被覆化粧する必要がない。
【００１６】
それにもまして、１本の金属丸線材から連続的に折り曲げられた第１〜４円弧抱持面が縦パイプと横パイプへ各々重畳的に巻き付くため、その引き寄せ合う抵抗力と金属丸線材自身の撓み作用により、ガタツキや弛緩などを起生するおそれがなく、縦パイプと横パイプとの交叉部を安定・確固な縛り付け状態に維持することができる。
【００１７】
更に、第１〜４円弧抱持面には縦パイプや横パイプとの滑り止め用粗面が、特に金属丸線材の円周面から一定深さだけ陥没する多数の条痕として、しかもその丸線材の直径線とほぼ平行にプレス加工されているため、換言すれば金属丸線材と各パイプとの接線に対してほぼ直交する配列関係にプレス加工されているため、結束金具の不慮な滑り作用のみならず、その空廻り作用に対しても効果的な抵抗を与えることができ、使用中に繰り返し振動や衝撃などの外力を受けるも、上記交叉部の位置狂いが生じない縛り付け結束状態を得られるのである。
【発明を実施するための最良の形態】
【００１８】
以下、図面に基いて本発明の具体的構成を詳述すると、図１〜１６は本発明の結束金具（Ａ１）とその使用状態を示しており、これは縦パイプ（Ｙ）と横パイプ（Ｘ）との接触し合う交叉部へ巻き付け使用可能な所要長さを備えた１本の鋼線やその他の金属丸線材（Ｍ）から成る。
【００１９】
この点、図示の一例では縦パイプ（Ｙ）と横パイプ（Ｘ）とが柵（Ｆ）の組み立て用として、その互いに同じ約４８．６mmの直径（Ｄ）を有する金属パイプ（鉄管）から成り、又上記金属丸線材（Ｍ）として約５．８mmの直径（ｄ）を備えた引張強度に富む炭素鋼線が採用されている。
【００２０】
そして、本発明の結束金具（Ａ１）はこのような１本の金属丸線材（Ｍ）から図１〜８に示す如く、縦方向と横方向へ交互に繰り返し折り曲げられることにより、縦パイプ（Ｙ）へ巻き付くほぼ平行な一対の第１、２円弧抱持面（１１）（１２）と、横パイプ（Ｘ）へ巻き付くほぼ平行な一対の第３、４円弧抱持面（１３）（１４）とが一連に造形されている。
【００２１】
即ち、上記金属丸線材（Ｍ）における切り離し両端部のうち、その何れか一方から他方に向かって順序良く、縦パイプ（Ｙ）へ巻き付く第１円弧抱持面（１１）と横パイプ（Ｘ）へ巻き付く第３円弧抱持面（１３）、再度縦パイプ（Ｙ）へ巻き付く第２円弧抱持面（１２）並びに再度横パイプ（Ｘ）へ巻き付く第４円弧抱持面（１４）とが交互に連続して折り曲げられており、茲にほぼ平行する第１、２円弧抱持面（１１）（１２）の一対が縦パイプ（Ｙ）の円周面を、同じくほぼ平行する第３、４円弧抱持面（１３）（１４）の一対が横パイプ（Ｘ）の円周面を、各々重畳的に抱持し得るようになっているのである。
【００２２】
又、上記金属丸線材（Ｍ）の切り離し一端部には雄ネジ（１５）が刻設されており、その雄ネジ（１５）には鍔付きナット（１６）が予じめ脱落不能に螺合されている。その切り離し一端部の塑性変形や雄ネジ（１５）の部分的な圧潰などによって、鍔付きナット（１６）が雄ネジ（１５）からの抜け止め状態に保たれているのである。
【００２３】
他方、同じく金属丸線材（Ｍ）の切り離し他端部はナット受け座（１７）として、一連のフック状に折り曲げられており、上記切り離し一端部の雄ネジ（１５）へ係脱自在に係止されることにより、上記鍔付きナット（１６）の座金として機能し得るようになっている。
【００２４】
更に、（１８）（１９）は上記金属丸線材（Ｍ）の縦パイプ（Ｙ）へ巻き付く第１、２円弧抱持面（１１）（１２）と、同じく横パイプ（Ｘ）へ巻き付く第３、４円弧抱持面（１３）（１４）との合計４個所へ、各々刻設された滑り止め用の粗面であり、その対応的な各パイプ（Ｙ）（Ｘ）との滑り止め作用を果す。その粗面（１８）（１９）が、縦パイプ（Ｙ）や横パイプ（Ｘ）と金属丸線材（Ｍ）との接線上に位置するものとして、その第１〜４円弧抱持面（１１）（１２）（１３）（１４）の就中凹曲面に刻設されていることは言うまでもない。
【００２５】
このような各パイプ（Ｘ）（Ｙ）との滑り止め用粗面（１８）（１９）は図９、１０に抽出拡大する如く、特に金属丸線材（Ｍ）の円周面から一定深さ（ｇ）だけ陥没する多数の条痕として、しかもその丸線材（Ｍ）の直径線（Ｏ−Ｏ）とほぼ平行する配列関係、換言すれば丸線材（Ｍ）と各パイプ（Ｙ）（Ｘ）との接線に対してほぼ直交する関係の配列にプレス加工されている。
【００２６】
このような多数の条痕は図１１に示す如く、先に折り曲げられた金属丸線材（Ｍ）の上記第１〜４円弧抱持面（１１）（１２）（１３）（１４）を、その後雄型（２０）と雌型（２１）によって内外方向から各々挟み、その雄型（２０）の対応的な凸条刃（２２）を内側から加圧することにより、上記第１〜４円弧抱持面（１１）（１２）（１３）（１４）の凹曲面へあたかも傷付ける如く、確実に刻み加工することができる。
【００２７】
本発明の結束金具（Ａ１）は上記の構成を備えているため、その使用に当っては金属丸線材（Ｍ）の切り離し他端部に位置するフック状のナット受け座（１７）を、残る切り離し一端部の雄ネジ（１５）へ係止させる前の開放状態において、その金属丸線材（Ｍ）を縦パイプ（Ｙ）と横パイプ（Ｘ）との交叉部へ差し込む如く巻き付けると共に、その雄ネジ（１５）へナット受け座（１７）を係止させることにより閉合した上、鍔付きナット（１６）をラチエツトレンチやスパナなどの回動工具（図示省略）により締め上げ操作して、その縦パイプ（Ｙ）と横パイプ（Ｘ）との交叉部を図１２〜１５のように強く縛り付け結束すれば良い。
【００２８】
このようにして結束された柵（Ｆ）の組立状態を図１６に例示しているが、本発明の結束金具（Ａ１）は１本の金属丸線材（Ｍ）から一連に折り曲げ造形された第１〜４円弧抱持面（１１）（１２）（１３）（１４）を具備するため、地面から起立する垂直な縦パイプ（Ｙ）と、水平な横パイプ（Ｘ）との直交する交叉部のみならず、地面から斜めに起立する縦パイプ（Ｙ）と、同じく水平な横パイプ（Ｘ）との非直交する交叉部についても、これをそのまま支障なく強固に縛り付け結束することができる。
【００２９】
何れにしても、上記結束作業は鍔付きナット（１６）の１個だけを回動操作すれば足りるため、誰でもすばやく軽快に行なえるのであり、又上記結束金具（Ａ１）自身が１本の金属丸線材（Ｍ）から成る軽量品として、しかもその縦パイプ（Ｙ）へ巻き付く第１、２円弧抱持面（１１）（１２）の一対と、横パイプ（Ｘ）へ巻き付く第３、４円弧抱持面（１３）（１４）の一対には、各々滑り止め用粗面（１８）（１９）が金属丸線材（Ｍ）の円周面から一定深さ（ｇ）だけ陥没する多数の条痕として、且つその丸線材（Ｍ）の直径線（Ｏ−Ｏ）とほぼ平行する配列関係にプレス加工されているため、図１２〜１６のような結束状態での使用中において、万一振動や衝撃などの外力を受けるも、特に縦パイプ（Ｙ）を滑り下降する如き、交叉部の位置狂いを生ずるおそれがない。
【００３０】
更に、本発明の結束金具（Ａ１）は１本の金属丸線材（Ｍ）から一連に折り曲げられているため、例えば縦パイプ（Ｙ）と横パイプ（Ｘ）とが離反する方向の外力を受けた場合、その縦パイプ（Ｙ）に巻き付いている第１、２円弧抱持面（１１）（１２）と、横パイプ（Ｘ）に巻き付いている第３、４円弧抱持面（１３）（１４）との何れか一方が、残る他方を引き寄せることになり、その金属丸線材（Ｍ）自身の撓み作用とも相俟って、ガタツキや弛緩などを起生するおそれがなく、縦パイプ（Ｙ）と横パイプ（Ｘ）との交叉部を安定・確固な縛り付け状態に維持することができる。
【００３１】
又、結束金具（Ａ１）の使用状態ではその第１〜４円弧抱持面（１１）（１２）（１３）（１４）が文字通りの円弧形態として、縦パイプ（Ｙ）と横パイプ（Ｘ）との円周面に巻き付いており、しかも金属丸線材（Ｍ）の切り離し一端部をなす雄ネジ（１５）と、残る切り離し他端部をなすナット受け座（１７）とは図１２〜１５のように、縦パイプ（Ｙ）と横パイプ（Ｘ）との交叉する角隅部へ退避した位置関係にあって、鍔付きナット（１６）により締結されているため、これらが縦パイプ（Ｙ）や横パイプ（Ｘ）から鋭利に大きく張り出さず、そのままでも安全性と化粧効果を確保できるのである。
【００３２】
尚、図１２〜１６の使用状態では互いに同じ直径（Ｄ）の縦パイプ（Ｙ）と横パイプ（Ｘ）を図示しているが、その直径（Ｄ）が大小相違する縦パイプ（Ｙ）と横パイプ（Ｘ）との交叉部結束用としても、これに応じた円弧抱持面（１１）（１２）（１３）（１４）を折り曲げ造形しておくことにより、支障なく使える結束金具に仕上げることができる。
【００３３】
又、図示実施形態の場合柵（Ｆ）の組み立て用として、その縦パイプ（Ｙ）が地面からの垂直状態に起立しているが、例えばビニールハウスの骨格などに見られる如く、水平面上や傾斜面上での交叉する縦パイプ（Ｙ）と横パイプ（Ｘ）との交叉部結束金具としても、本発明をそのまま使用することができる。
【００３４】
更に、金属パイプ同志のみならず、合成樹脂パイプ同志やその合成樹脂パイプと金属パイプとの交叉部についても、本発明の結束金具を適用できるのであり、その場合にも上記円弧抱持面（１１）（１２）（１３）（１４）の合計４個所にプレス加工された滑り止め用粗面（１８）（１９）が有効に働くと言える。
【図面の簡単な説明】
【００３５】
【図１】本発明の結束金具を示す斜面図である。
【図２】図１の平面図である。
【図３】図２の正面図である。
【図４】図２の底面図である。
【図５】図２の背面図である。
【図６】図２の右側面図である。
【図７】図３の７−７線断面図である。
【図８】図６の８−８線断面図である。
【図９】図２の部分拡大図である。
【図１０】図９の１０−１０線断面図である。
【図１１】滑り止め用粗面のプレス加工状態を示す説明図である。
【図１２】本発明の使用状態を示す斜面図である。
【図１３】図１２の正面図である。
【図１４】図１２の側面図である。
【図１５】図１２の平面図である。
【図１６】柵の組立状態を示す斜面図である。
【図１７】従来の結束金具を示す平面図である。
【符号の説明】
【００３６】
（１１）・第１円弧抱持面
（１２）・第２円弧抱持面
（１３）・第３円弧抱持面
（１４）・第４円弧抱持面
（１５）・雄ネジ
（１６）・鍔付きナット
（１７）・ナット受け座
（１８）（１９）・滑り止め用粗面（条痕）
（２０）・雄型
（２１）・雌型
（２２）・凸条刃
（Ａ１）・結束金具
（Ｆ）・柵
（Ｍ）・金属丸線材
（Ｘ）・横パイプ
（Ｙ）・縦パイプ
（Ｏ−Ｏ）・金属丸線材の直径線
【図１】
0004034795.tif 000002
【図２】
0004034795.tif 000003
【図３】
0004034795.tif 000004
【図４】
0004034795.tif 000005
【図５】
0004034795.tif 000006
【図６】
0004034795.tif 000007
【図７】
0004034795.tif 000008
【図８】
0004034795.tif 000009
【図９】
0004034795.tif 000010
【図１０】
0004034795.tif 000011
【図１１】
0004034795.tif 000012
【図１２】
0004034795.tif 000013
【図１３】
0004034795.tif 000014
【図１４】
0004034795.tif 000015
【図１５】
0004034795.tif 000016
【図１６】
0004034795.tif 000017
【図１７】
0004034795.tif 000018